(57)【要約】      （修正有）【課題】内容物と共に効率的に攪拌棒を備え、且つ使い勝手のよい包装体を提供する。【解決手段】包装体１は、内容物２０を内部に収容する中空状の本体部１０と、本体部１０と一体的に構成されて本体部１０の内部に少なくとも一部が収容される攪拌部１４と、からなる。本体部１０と攪拌部１４が一体的に構成されているため、内容物２０の投入時に攪拌部１４が飛び出すようなことがなく、使い勝手を良くすることができる。また、飲料等に浸漬される攪拌部１４を本体部１０の内部に収容することで、塵埃や雑菌等の付着が防止されるため、包装体１を衛生的に構成することができる。【選択図】図１
0003152778.tif 000002
【実用新案登録請求の範囲】
【請求項１】
内容物を内部に収容する中空状の本体部と、
前記本体部と一体的に構成されて前記本体部の内部に少なくとも一部が収容される攪拌部と、からなることを特徴とする、
包装体。
【請求項２】
前記攪拌部は、前記内容物を取り出すために前記本体部を分断する場合に、分断される前記本体部の一方と共に前記本体部の他方から分離されることを特徴とする、
請求項１に記載の包装体。
【請求項３】
前記本体部および前記攪拌部は、１つのシート状部材から構成されており、
前記本体部は、前記シート状部材を前記攪拌部が内側となるように折り畳み、開いている端縁部分を封止することで中空状に構成されることを特徴とする、
請求項１または２に記載の包装体。
【請求項４】
前記攪拌部は、前記本体部から突出する部材であり、
前記本体部は、前記攪拌部を前記本体部に重ねるように前記攪拌部の基端側部分において曲折すると共に前記攪拌部が内側となるように前記本体部を曲折し、前記本体部の対向する端縁部分同士を封止して中空状に構成されることを特徴とする、
請求項３に記載の包装体。
【請求項５】
前記攪拌部は、前記本体部から突出する帯状の部材であり、
前記本体部は、前記攪拌部を前記本体部に重ねるように前記攪拌部の基端側部分において曲折すると共に前記攪拌部が内側となるように前記攪拌部の長手方向軸線に沿って前記本体部および前記攪拌部を曲折し、前記本体部の対向する端縁部分同士を封止して中空状に構成されることを特徴とする、
請求項３または４に記載の包装体。
【請求項６】
前記攪拌部は、前記本体部の一部と共に前記本体部から分離し、前記攪拌部の基端側部分における曲折部分を展開すると共に前記長手方向軸線における曲折部分を逆に折り返すことで、前記本体部の一部と共にＶ字状断面の攪拌棒を構成することを特徴とする、
請求項５に記載の包装体。
【考案の詳細な説明】
【技術分野】
【０００１】
本考案は、包装体に関するものであり、特に飲食の分野において使用される粉末や顆粒等の包装体に関する。
【背景技術】
【０００２】
従来、コーヒーや紅茶等の飲料に使用される砂糖やミルク等では、約一杯分の量を個別に包装したものが、飲食店や家庭で広く使用されている。このような砂糖等は、コーヒー等に投入した後に攪拌して溶解させる必要があるため、マドラーやスプーン等の攪拌するための攪拌棒が使用時に必須となる。しかしながら、砂糖等を個別に包装した包装体と攪拌用のマドラー等は、飲食店等においても、一般的に別体のものとして提供されている。
【０００３】
例えば、飲食店においてテイクアウトのコーヒーを購入した場合、コーヒーの入れられたカップと共に砂糖等を封入した包装体とマドラー等を手渡されることとなる。このため、消費者は、カップと共に包装体およびマドラー等を別々に保持して店外に持ち出すこととなり、煩わしさを感じる場合があった。また、飲食店では、砂糖等を封入した包装体とマドラー等を、同時に使用されるものでありながらも分けてストックする必要があり、在庫管理が煩雑になるという問題があった。
【０００４】
このような問題に対し、砂糖等を封入した包装体内部に砂糖等の内容物と共に攪拌棒を収容した包装体等がいくつか提案されている（例えば、特許文献１〜３参照）。
【先行技術文献】
【特許文献】
【０００５】
【特許文献１】実開昭６３−１０７９６７号公報
【特許文献２】実開平３−１９８８３号公報
【特許文献３】特開平８−７２９３３号公報
【考案の概要】
【考案が解決しようとする課題】
【０００６】
しかしながら、上記特許文献１〜３に記載の包装体では、単に内容物と攪拌棒を一緒に内部に収容しているだけであるため、内容物と攪拌棒を個別に取り出せないという問題があった。例えば、内容物である砂糖をコーヒーに投入する際に、攪拌棒までもがコーヒー内に落下してしまう可能性があるため、非常に使い勝手が悪いものとなっていた。また、攪拌棒に砂糖等の内容物が付着するため、攪拌棒の使用時に手がべたつくといった不快感を使用者に与えるという問題もあった。
【０００７】
また、攪拌棒にはカップの深さ以上の長さが必要とされるため、この攪拌棒を収容するためには、包装体の寸法を必要以上に大きくしなければならないという問題があった。このため、包装体の製造コストが増大すると共に、運搬や保管時における効率までもが悪化するという問題があった。
【０００８】
本考案は、このような問題点に鑑みてなされたものであって、内容物と共に効率的に攪拌棒を備え、且つ使い勝手のよい包装体を提供しようとするものである。
【課題を解決するための手段】
【０００９】
（１）本考案は、内容物を内部に収容する中空状の本体部と、前記本体部と一体的に構成されて前記本体部の内部に少なくとも一部が収容される攪拌部と、からなることを特徴とする、包装体である。
【００１０】
（２）本考案はまた、前記攪拌部は、前記内容物を取り出すために前記本体部を分断する場合に、分断される前記本体部の一方と共に前記本体部の他方から分離されることを特徴とする、上記（１）に記載の包装体である。
【００１１】
（３）本考案はまた、前記本体部および前記攪拌部は、１つのシート状部材から構成されており、前記本体部は、前記シート状部材を前記攪拌部が内側となるように折り畳み、開いている端縁部分を封止することで中空状に構成されることを特徴とする、上記（１）または（２）に記載の包装体である。
【００１２】
（４）本考案はまた、前記攪拌部は、前記本体部から突出する部材であり、前記本体部は、前記攪拌部を前記本体部に重ねるように前記攪拌部の基端側部分において曲折すると共に前記攪拌部が内側となるように前記本体部を曲折し、前記本体部の対向する端縁部分同士を封止して中空状に構成されることを特徴とする、上記（３）に記載の包装体である。
【００１３】
（５）本考案はまた、前記攪拌部は、前記本体部から突出する帯状の部材であり、前記本体部は、前記攪拌部を前記本体部に重ねるように前記攪拌部の基端側部分において曲折すると共に前記攪拌部が内側となるように前記攪拌部の長手方向軸線に沿って前記本体部および前記攪拌部を曲折し、前記本体部の対向する端縁部分同士を封止して中空状に構成されることを特徴とする、上記（３）または（４）に記載の包装体である。
【００１４】
（６）本考案はまた、前記攪拌部は、前記本体部の一部と共に前記本体部から分離し、前記攪拌部の基端側部分における曲折部分を展開すると共に前記長手方向軸線における曲折部分を逆に折り返すことで、前記本体部の一部と共にＶ字状断面の攪拌棒を構成することを特徴とする、上記（５）に記載の包装体である。
【考案の効果】
【００１５】
本考案によれば、内容物と共に効率的に攪拌棒を備え、且つ使い勝手がよいという優れた効果を奏し得る。
【図面の簡単な説明】
【００１６】
【図１】（ａ）本考案の実施形態に係る包装体の外観を示した正面図である。（ｂ）包装体の内部を示した断面図である。
【図２】（ａ）〜（ｄ）包装体の製造方法を示した概略図である。
【図３】（ａ）〜（ｄ）包装体１の使用方法を示した概略図である。
【図４】（ａ）および（ｂ）包装体１の使用方法を示した概略図である。
【図５】（ａ）〜（ｃ）その他の態様のシート状部材の例を示した概略図である。
【図６】（ａ）および（ｂ）その他の包装タイプから包装体を構成した例を示した概略図である。
【考案を実施するための形態】
【００１７】
以下、図面を参照して本考案の実施の形態の例について詳細に説明する。
【００１８】
図１（ａ）は本実施形態に係る包装体１の外観を示した正面図であり、同図（ｂ）は包装体１の内部を示した断面図である。
【００１９】
本実施形態の包装体１は、同図（ａ）に示されるように、本体部１０を二つ折りに折り畳み、対向する３つの端縁部分を封止部１２とした三方シールタイプの袋状の包装体である。すなわち、本体部１０は中空状に構成されており、その内部には、同図（ｂ）に示されるように、内容物２０が収容されている。そして、本体部１０の内部には、本体部１０と一体的に構成された攪拌部１４が折り畳まれた状態で収容されている。
【００２０】
本実施形態では、内容物２０は、コーヒーや紅茶等に混入される砂糖または粉末ミルクであるが、これに限定されるものではなく、例えば、インスタントコーヒーやインスタント紅茶等の粉末であってもよいし、インスタントコーヒー等の粉末に砂糖や粉末ミルク等を混合したものであってもよい。さらに、各種料理等に混入される塩や胡椒等の調味料であってもよい。
【００２１】
図２（ａ）〜（ｄ）は、包装体１の製造方法を示した概略図である。
【００２２】
包装体１の製造では、まず同図（ａ）に示されるように、１枚の略Ｔ字形状のシート状部材１６を用意する。このシート状部材１６は、略長方形状の本体部１０と、この本体部１０から側方に突出するように形成された帯状の攪拌部１４から構成されている。攪拌部１４の先端部１４ａは、スプーン状の形状とするために幅広の略円形状に形成されている。なお、本実施形態では、シート状部材１６は耐水紙から構成されており、内容物を取り出す場合に、比較的容易に破断して開封することができるようにしている。
【００２３】
次に、同図（ｂ）に示されるように、攪拌部１４を基端部１４ｂにおいて本体部１０に重ねるように曲折する。そして、同図（ｃ）に示されるように、折り畳んだ攪拌部１４が内側（谷側）となるように本体部１０および攪拌部１４を二つ折りに曲折する。詳細には、本体部１０および攪拌部１４を攪拌部１４の長手方向軸線１４ｃに沿って曲折し、本体部１０および攪拌部１４が共に二つ折り状態となるようにする。
【００２４】
そして、内容物２０を２つ折りにした本体部１０の内部に投入した上で、同図（ｄ）に示されるように、三方の端縁部分（開いている端縁部分）を接着等により封止する。具体的には、例えば、三方のうち二方の端縁部分をまず封止して内容物２０を本体部１０の内部に投入し、その後残りの一方の端縁部分を封止する。このとき、攪拌部１４の曲折された基端部１４ｂは封止しないようにする。以上の手順により、包装体１は製造される。
なお、例えば圧着や糊等により、攪拌部１４の基端部１４ｂを容易に剥がせる方法で封止するようにしてもよい。この場合、包装体１の密閉性を高めることができる。
【００２５】
図３（ａ）〜（ｄ）、ならびに図４（ａ）および（ｂ）は、包装体１の使用方法を示した概略図である。
【００２６】
包装体１を使用する場合、まず図３（ａ）に示されるように、包装体１を封止部１２側を下にした状態で攪拌部４０のやや下方において破断し、２つに分断する。そして、図３（ｂ）に示されるように、本体部１０を、内容物２０が内部に収容された下側本体部１０ａと、攪拌部１４が内部に収容された上側本体部１０ｂとに分離する。なお、本体部１０には、破断部分を示すための切り取り線やノッチ等を予め設けておいてもよい。
【００２７】
次に、図３（ｃ）に示されるように、上側本体部１０ｂの基端部１４ｂ側の封止部１２を外して開き、基端部１４の曲折部分を展開して攪拌部１４を上側本体部１０ｂの内部から取り出しつつ、長手方向軸線１４ｃに沿った曲折部分を逆に折り返して上側本体部１０ｂと同じ曲折方向となるようにする。これにより、図３（ｄ）に示されるように、上側本体部１０ｂと攪拌部１４を直列に構成した攪拌棒１８が形成される。
【００２８】
このようにして形成された攪拌棒１８は、Ｖ字状断面であることから十分な剛性を有している。また、攪拌棒１８の上側本体部１０ｂは、端部が封止部１２によって封止されたままであるためＶ字状断面を適宜に維持することが可能であり、非常に使い勝手のよいものとなっている。さらに、本実施形態では、先端部１４ｂをスプーン状に形成することにより、攪拌棒１８に十分な攪拌能力を備えると共に、簡易的にスプーンとして使用することも可能としている。
【００２９】
下側本体部１０ａ内の内容物２０は、図４（ａ）に示されるように、下側本体部１０ａと上側本体部１０ｂの分離により形成された開口部１０ｃから、コーヒー等の飲料が入れられたカップ３０に投入する。そして、攪拌棒１８の攪拌部１４を飲料内に浸漬し、飲料を攪拌して内容物２０を溶解させる。本実施形態では、攪拌棒１８の上側本体部１８ｂを持って攪拌するように構成しているため、攪拌時に内容物２０が手指に付着しないようになっている。
【００３０】
使用後の下側本体部１０ａおよび攪拌棒１８は、図４（ｂ）に示されるように、攪拌棒１８を折り畳んで下側本体部１０ａ内に挿入する等して適宜にまとめた状態で燃えるごみとして廃棄する。本実施形態の包装体１では、本体部１０および攪拌部１４を同一の素材で一体的に構成しているため、分別せずにまとめて廃棄することができる。
【００３１】
以上説明したように、本実施形態に係る包装体１は、内容物２０を内部に収容する中空状の本体部１０と、本体部１０と一体的に構成されて本体部１０の内部に少なくとも一部が収容される攪拌部１４と、からなる。
【００３２】
このため、内容物２０と共に効率的に攪拌棒１８を備えることができる。また、本体部１０と攪拌部１４が一体的に構成されているため、内容物２０の投入時に攪拌部１４が飛び出すようなことがなく、使い勝手をよくすることができる。また、飲料等に浸漬される攪拌部１４を本体部１０の内部に収容することで、塵埃や雑菌等の付着が防止されるため、包装体１を衛生的に構成することができる。
【００３３】
また、攪拌部１４は、内容物２０を取り出すために本体部１０を分断する場合に、分断される本体部１０の一部（上側本体部１０ｂ）と共に本体部１０の他方（下側本体部１０ａ）から分離される部分である。このため、本体部１０の開封と攪拌棒１８の取り出しを同時に行うことができ、使用者に煩わしさを感じさせないようにすることができる。
【００３４】
また、本体部１０および攪拌部１４は、１つのシート状部材１６から構成されており、本体部１０は、シート状部材１６を攪拌部が内側になるように折り畳み、開いている端縁部分（封止部１２）を封止することで中空状に構成される。
【００３５】
このため、シンプルな構造とすると共に製造工程を簡素化することが可能となるため、コストを低減することができる。また、本体部１０と攪拌部１４を同一の素材から構成することが可能であるため、使用後に、ごみの分別を考慮することなくまとめて廃棄することができる。
【００３６】
また、攪拌部１４は、本体部１０から突出する部材であり、本体部１０は、攪拌部１４を本体部１０に重ねるように攪拌部１４の基端側部分において曲折すると共に攪拌部１４が内側となるように本体部１０を曲折し、本体部１０の対向する端縁部分同士を封止して中空状に構成される
このため、本体部１０および攪拌部１４を１つのシート状部材１６から構成しながらも、攪拌部１４を本体部１０の内部に収容した状態で、コンパクト且つ効率的に包装体１を構成することができる。
【００３７】
また、上側本体部１０と攪拌部１４を重ねることによって、攪拌部１４を切り離しのガイドとすることが可能となるため、上側本体部１０ｂおよび攪拌部１４の下側本体部１０ａからの切り離しを容易にすることができる。また、飲料等に浸漬される攪拌部１４を本体部１０の内部に収容しながらも、攪拌棒１８の持ち手となる部分（上側本体部１０ｂの外側部分）に内容物２０が付着しないようにすることができる。
【００３８】
また、攪拌部１４は、本体部１０から突出する帯状の部材であり、本体部１０は、攪拌部１４を本体部１０に重ねるように攪拌部１４の基端部１４ｂにおいて曲折すると共に攪拌部１４が内側となるように攪拌部１４の長手方向軸線１４ｃに沿って本体部１０および攪拌部１４を曲折し、本体部１０の対向する端部同士（封止部１２）を封止して中空状に構成される。
【００３９】
このように、攪拌部１４の長手方向軸線に沿って本体部１０および攪拌部１４を曲折することにより、攪拌棒１８を高剛性のＶ字状断面とし、攪拌棒１８の使いやすくすることができる。
【００４０】
また、攪拌部１４は、本体部の一部（上側本体部１０ｂ）と共に分離された後に攪拌部１４の基端部１４ｂにおける曲折部分を開き、長手方向軸線１４ｃにおける曲折部分を逆に折り返すことで、本体部の一部（上側本体部１０ｂ）と共にＶ字状断面の攪拌棒１８を構成する。
【００４１】
このため、攪拌棒１８に攪拌用途に耐える十分な剛性を持たせることができる。また、攪拌部１４の長手方向軸線１４ｃにおける曲折部分を逆に折り返すことによって、攪拌部１４が適度に開いた状態となるため、攪拌棒１８を使いやすくすることができる。また、包装体１をコンパクトに構成しながらも、攪拌棒１８を使いやすい長さにすることができる。
【００４２】
なお、本実施形態では、本体部１０および攪拌部１４を紙によって構成したが、これに限定されるものではなく、その他の素材から構成するようにしてもよい。例えば、各種樹脂や金属等の薄板や、樹脂フィルムや金属箔等を積層した積層フィルム等によって本体部１０および攪拌部１４を構成するようにしてもよい。
【００４３】
また、図５（ａ）および（ｂ）に示されるように、予め別体として形成した本体部１０および攪拌部１４を接着等により一体化することで、１つのシート状部材１６を構成するようにしてもよい。この場合、同図（ａ）に示されるように、本体部１０からの突出部分のみを攪拌部１４として予め形成し、これを本体部１０に結合するようにしてもよいし、同図（ｂ）に示されるように、本体部１０からの突出部分よりも長く形成した攪拌部１４を、本体部１０に重ねて貼り付けるようにしてもよい。
このように、予め別体として形成した本体部１０および攪拌部１４を一体化するようにした場合、同図（ｃ）に示されるように、攪拌部１４の曲折部分（基端部１４ｂ）を本体部１０の端縁よりも内側にすることで、本体部１０の三方の端縁部分を完全に封止することが可能となる。すなわち、包装体１の密閉性を高めることができる。
【００４４】
また、このように、本体部１０および攪拌部１４を予め別体として形成する場合、本体部１０と攪拌部１４を異なる素材から構成するようにしてもよい。例えば、本体部１０を耐水紙から構成し、攪拌部１４を樹脂から構成するようにしてもよい。
【００４５】
また、本実施形態では、包装体１を三方シールタイプから構成した例を示したが、これに限定されるものではなく、その他の包装タイプとしてもよい。例えば、図６（ａ）に示されるように、包装体１をピロータイプから構成するようにしてもよいし、図６（ｂ）に示されるように、１つの本体部１０に底部１０ｄを取り付け、包装体１をスタンディングタイプから構成するようにしてもよい。
【００４６】
また、包装体１の全体の形状は、本実施形態で示した長方形状のものに限定されないことは言うまでもなく、その他の種々の形状を採用することができる。また、攪拌部１４の全体的形状、および先端部１４ａの形状は、本実施形態で示した形状以外の形状としてもよい。
【００４７】
また、本実施形態では、粉末状または顆粒状の内容物２０の例を示したが、内容物２０は粉末状または顆粒状のものに限定されず、例えば、固体状、液体状、ゲル状またはゾル状のもの等であってもよい。
【００４８】
また、本実施形態では、攪拌棒１８を攪拌用途に使用する例を示したが、これに限定されるものではなく、攪拌棒１８をスプーンとして使用するようにしてもよい。例えば、内容物２０をヨーグルトやゼリー等とした場合に、内容物２０を攪拌棒１８によりすくって食べられるようにしてもよい。
【００４９】
以上、本考案の実施の形態について説明したが、本考案の包装体は、上記した実施の形態に限定されるものではなく、本考案の要旨を逸脱しない範囲内において種々変更を加え得ることは勿論である。
【産業上の利用可能性】
【００５０】
本考案は、飲食の分野以外にも、様々な物の包装の分野において利用することができる。
【符号の説明】
【００５１】
１  包装体
１０  本体部
１０ａ  下側本体部
１０ｂ  上側本体部
１２  封止部
１４  攪拌部
１４ｂ  攪拌部の基端部
１４ｃ  攪拌部の長手方向軸線
１６  シート状部材
１８  攪拌棒
２０  内容物
【図１】
0003152778.tif 000003
【図２】
0003152778.tif 000004
【図３】
0003152778.tif 000005
【図４】
0003152778.tif 000006
【図５】
0003152778.tif 000007
【図６】
0003152778.tif 000008